(57)【要約】【課題】できるだけ貯水部１の有効容量を大きくし、かつ、排水騒音を低減したサイフォン排水システムを提供するものであり、スラブＳとフロアＦ間での許容範囲の少ないスぺ−スに好適なシステムを確立するものである。【解決手段】サイフォン排水システムにおいて、先端を貯水部内の所定の高さに保ち基端をサイフォン排水管に合流させたサイフォン力調整管を備え、前記サイフォン排水管の上部とサイフォン力調整管の先端位置とをほぼ同じ水平位置とした。１‥貯水部、１ａ‥貯水部の底部、１ｂ‥貯水部の側面、２‥水廻り器具、３‥連結管、４‥サイフォン排水管、４ａ‥継手、４ｂ‥合流部、５‥排水立て管、６‥合流継手、７‥サイフォン力調整管、７ａ‥サイフォン力調整管の先端、７ｂ‥サイフォン力調整管の基端、Ｆ‥フロア、Ｈｓ‥水頭、ＯＦ‥サイフォン排水管（継手）のオフセット部、Ｓ‥スラブ。【選択図】図３
2007315037.tif 000002
【特許請求の範囲】
【請求項１】
排水立て管と、水廻り器具からの連結管と、連結管に接続された貯水部と、この貯水部に接続したサイフォン排水管と、からなり、当該サイフォン排水管が水頭（Ｈｓ）をもっサイフォン排水システムであって、先端を貯水部内の所定の高さに保ち基端をサイフォン排水管に合流させたサイフォン力調整管を備え、前記サイフォン排水管の上部とサイフォン力調整管の先端位置とをほぼ同じ水平位置としたことを特徴とする貯水部を備えたサイフォン排水システム。
【請求項２】
サイフォン排水管の上部とサイフォン力調整管の先端位置との差が、−１０〜＋３０ｍｍである請求項１記載の貯水部を備えたサイフォン排水システム。
【請求項３】
サイフォン排水管の上部とサイフォン力調整管の先端位置との差が、−５〜＋５ｍｍである請求項２記載の貯水部を備えたサイフォン排水システム。
【請求項４】
サイフォン排水管と貯水部との接続は貯水部の底部と側部とに跨がる位置に接続された請求項１乃至３いずれか１記載の貯水部を備えたサイフォン排水システム。
【請求項５】
サイフォン排水管が、貯水部に接続された直後に上方にオフセットされた請求項１乃至４いずれか１記載の貯水部を備えたサイフォン排水システム。
【請求項６】
サイフォン排水管の上方へのオフセット量が、５〜２０ｍｍである請求項５記載の貯水部を備えたサイフォン排水システム。
【請求項７】
サイフォン排水管が、水頭（Ｈｓ）をもって排水立て管に備えた合流継手に接続された請求項１乃至６いずれか１記載の貯水部を備えたサイフォン排水システム。
【請求項８】
排水立て管と、水廻り器具からの連結管と、連結管に接続された貯水部と、この貯水部に接続したサイフォン排水管と、からなり、当該サイフォン排水管が水頭（Ｈｓ）をもって前記排水立て管に接続され、かつ、先端を貯水部内の所定の高さに保ち基端をサイフォン排水管に合流させたサイフォン力調整管を備えた貯水部を備えたサイフォン排水システムであって、サイフォン排水管と貯水部との接続は貯水部の底部と側部とに跨がる位置に接続され、かつ、サイフォン排水管が貯水部に接続された位置より上方に５〜２０ｍｍオフセットされ、オフセット後のサイフォン排水管の上部とサイフォン力調整管の先端位置とを−１０〜＋３０ｍｍの位置に配置したことを特徴とする貯水部を備えたサイフォン排水システム。
【発明の詳細な説明】
【技術分野】
【０００１】
本発明はサイフォン排水システムに関するもので、特に言えば、一度に多量の排水に対する貯水部を備えたサイフォン排水システムの改良にかかるものである。
【背景技術】
【０００２】
近年、従来の勾配排水システムに対して、サイフォン排水システム（特許文献１）が提案されており、その細部における改良も進んでいる。このサイフォン排水システムの概要は、排水立て管と、水廻り器具からのサイフォン排水管と、５０ｃｍ以上の水頭をもつ合流部と、からなり、サイフォン排水管がそのまま他のサイフォン排水管と合流することなく前記合流部へ接続される排水システムである。そして、サイフォン排水管内の水は水頭差の分だけサイフォン力が発生し、このサイフォン排水管内の水を排水するシステムである。
【特許文献１】特開２０００−２９７４４７号公報
【０００３】
しかるに、キッチン、洗濯機、ユニットバス等のように多量の水が一度に流れる水廻り器具にあっては、サイフォン排水管にサイフォン力が生じる前に排水が溢れ出す場合がある。例えば、ユニットバスであれば浴槽内の排水を行った際に、サイフォンの発生が遅い場合には洗い場側の排水口から水が溢れ出すことともなる。
【０００４】
このため、本発明者は、多量の排水を一度溜め込むために排水回路中に貯水部を備える排水システムを既に提案しており、貯水部に複数の水廻り器具からの排水を導くことを可能とし、この貯水部以降の排水回路にサイフォン力を発生させるようにした排水システムである。
【０００５】
この貯水部を備えたサイフォン排水システムは極めて有効であり、排水立て管と水廻り器具との距離が遠くとも貯水部の容量を調整することで水廻り器具の配置がほぼ自由に行えるという大きなメリットがあるが、実際の使用に当たって、更に検討を要する点が指摘されており、例えば、施工時における貯水部の配置であり、更に排水時の騒音を低減する点である。
【０００６】
図１はその改良されたサイフォン排水システムの概要を示す図であり、貯水部１に水廻り器具２からの連結管３が接続されこれより多量の排水が貯水部１内に流入することとなる。そして、一般には貯水部１にはサイフォン排水管４が継手４ａを介して１本又は複数本接続され、このサイフォン排水管４の先端は通常では排水立て管５に水頭Ｈｓをもって備えられた合流継手６に接続されている。しかるに、貯水部１はスラブＳとフロアＦとの間に設置されるのが一般的であり、そのスぺ−スは極めて狭く、せいぜい１００〜１５０ｍｍの許容があるだけである。
【０００７】
上記したように、貯水部１はできるだけ有効容量を大きくすることが好ましいが、フロアＦとスラブＳとの間に置かれるためにその背丈が限定されてしまい、サイフォン排水管４の接続位置が問題となってくる。即ち、サイフォン排水の点だけから言えば、貯水部１の底部１ａに接続するのが最も好ましいが、この場合には貯水部１の底部１ａよりも更に下方にサイフォン排水管４の外形が出っ張ってしまうこととなり、この分だけ貯水部１の有効容量が少なくなってしまうという欠点がある。
【０００８】
一方、貯水部１の容量を維持する場合には、貯水部１の側面１ｂにサイフォン排水管４を接続するのが良いが、この場合には、貯水部１内に死水滞域が生じてしまい逆に有効容量が減じてしまい好ましくない。又、前者に比べてサイフォン排水効果もかなり低下してしまう。
【０００９】
排水騒音の改良として、図２に示すようにサイフォン排水管４にサイフォン力調整管７を合流させる提案をしている。即ち、サイフォン力調整管７の先端７ａを貯水部１内の所定の高さに配置し、水位がこの位置以上にあった場合にはこのサイフォン力調整管７も排水のための管として機能するもので、貯水部内の水位が高く排水処理能力が求められている場合はフルにサイフォンが発揮する。しかし、水位がこの位置よりも下がった場合にはサイフォン力調整管７内にエアが入り込み、サイフォン排水管４内に合流部４ｂよりエアを加え、サイフォン力を弱める機能を果たすものであり、排水処理能力がそれほど求められていない場合にはサイフォンが制御できるという特徴がある。これによってサイフォン力による排水最終段階での騒音の低減が図られるようになったものである。
【００１０】
しかるに、貯水部１内の水位が下がり、サイフォン力調整管７の先端７ａよりも水位が下がると、上記したようにサイフォンが終了し、その後は貯水部１内に残った水はサイフォンでなくゆっくり流れて行くが、その最中に不定期にサイフォンが起動してしまう。これはサイフォン排水管４内が満水となっている場合に発生する現象である。その際に、サイフォン排水管４から排水されると同時に、サイフォン力調整管７からエアが吸われるため合流部４ｂよりエアが巻き込まれるが、このエアの巻き込み音のレベルが高いことが分かった。又、水廻り器具からの排水が終わってからしばらくたってからも貯水部内に水が残っているので、この騒音が発生することもある。
【発明の開示】
【発明が解決しようとする課題】
【００１１】
本発明は、できるだけ貯水部１の有効容量を大きくし、かつ、排水騒音を低減したサイフォン排水システムを提供することを目的とするものであり、スラブＳとフロアＦ間での許容範囲の少ないスぺ−スに好適なシステムを確立するものである。
【課題を解決するための手段】
【００１２】
本発明の要旨は、排水立て管と、水廻り器具からの連結管と、連結管に接続された貯水部と、この貯水部に接続したサイフォン排水管と、からなり、当該サイフォン排水管が水頭（Ｈｓ）をもつサイフォン排水システムであって、先端を貯水部内の所定の高さに保ち基端をサイフォン排水管に合流させたサイフォン力調整管を備え、前記サイフォン排水管の上部とサイフォン力調整管の先端位置とをほぼ同じ水平位置としたことを特徴とする貯水部を備えたサイフォン排水システムである。
【００１３】
特に具体的には、排水立て管と、水廻り器具からの連結管と、連結管に接続された貯水部と、この貯水部に接続したサイフォン排水管と、からなり、当該サイフォン排水管が水頭（Ｈｓ）をもって前記排水立て管に接続され、かつ、先端を貯水部内の所定の高さに保ち基端をサイフォン排水管に合流させたサイフォン力調整管を備えた貯水部を備えたサイフォン排水システムであって、サイフォン排水管と貯水部との接続は貯水部の底部と側部とに跨がる位置に接続され、かつ、サイフォン排水管が貯水部に接続された位置より上方に５〜２０ｍｍオフセットされ、オフセット後のサイフォン排水管の上部とサイフォン力調整管の先端位置とを−１０〜＋３０ｍｍの位置に配置したことを特徴とする貯水部を備えたサイフォン排水システムにかかるものである。
【発明の効果】
【００１４】
本発明によれば、スラブとフロアとの間が狭い場合でも貯水部の有効容量は比較的大きく取ることができ、サイフォン開始時期も比較的早く、かつ、排水騒音も低減できるシステムが完成したものである。
【発明を実施するための最良の形態】
【００１５】
先ず、排水騒音の点について言えば、サイフォン排水管の上部とサイフォン力調整管の先端位置とをほぼ同じ位置としたことによって合流部からエアが巻き込まれるという騒音を解消したものである。即ち、両者のレベルをほぼ等しくすることにより、貯水部内の水位が下がりサイフォン力調整管の先端より下がると、サイフォンが終了し、その後、サイフォンが発生することがなくなるので、合流部エア巻き込み音が発生することがなくなったものである。
【００１６】
貯水部内の水位が下がった場合、従来の構造のシステムであると、サイフォンが一度切れるがサイフォン排水管内が満水であった場合は再び不定期にサイフォンが発生することがあり、合流部からエアが巻き込まれる騒音の発生があった。しかし、本発明のような構成を採用することにより、貯水部内の水位がサイホン力調整管の先端より下がることは、サイフォン排水管内の水位も下がり、サイフォン排水管内が満水になることがない。このため、再び不定期にサイフォン発生をしないこととしたものである。このため、サイフォン排水管の上部とサイフォン力調整管の先端との位置関係は、−１０〜３０ｍｍ（即ち管の外径程度）、好ましくは、−５〜＋５ｍｍの範囲が好適である。
【００１７】
次に、貯水部とサイフォン排水管との関係であるが、一般には貯水部に継手を備え、この継手にサイフォン排水管を接続することとなる。即ち、かかるサイフォン排水管の管径よりも大きい径の継手が用いられることから、貯水部全体としての背丈が高くなってしまい、スラブとフロアの間に納まらない場合も生じ、又、サイフォンの開始時期が異なり、更には排水騒音の発生をも伴うことともなる。
【００１８】
これらの種々の点を考慮して、貯水部の特定箇所にサイフォン排水管を接続したものである。即ち、種々の実験を繰り返し、あらゆる点を考慮して総合的に判断した結果、サイフォン排水管と貯水部との接続は貯水部の底部と側部とに跨がる位置に接続させるのが好適であり、更に、サイフォン排水管を貯水部に接続（継手に接続）された直後に上方に好ましくは５〜２０ｍｍオフセットさせるのが良いことが判明したものである。前記したサイフォン力調整管はこのオフセットされた後の箇所に合流させるのが最適であることが分かった。
【００１９】
実験によれば、貯水部の底部にサイフォン排水管を接続するのが、サイフォン開始時間が最も早く、死水の発生もないため貯水部の容量のうちで有効容量が大きくなる。しかるに、継手及びサイフォン排水管が貯水部の底部より出っ張るため、貯水部の底部とスラブ間が３５ｍｍ以上なくてはならなくなる。一般にはフロア下のスぺ−スが狭い場合が多く、この場合には設置作業ができない。又、サイフォン終了時のゴボゴボ音の発生があるという大きな欠点がある。
【００２０】
貯水部の側面に接続するタイプもあるが、貯水部内に死水が発生してしまい、サイフォン開始は前例よりも５〜１０秒程遅い。そして、水廻り器具からの排水が完了しても１分以上も合流部のエアの巻き込み音が発生するという大きな欠点がある。勿論、貯水部の有効容量が小さくなってしまうことは明らかである。尚、このタイプのメリットは貯水部とスラブ間の間隔が小さくても設置は可能の点である。
【００２１】
これらの点から、本発明はサイフォン排水管と貯水部との接続は貯水部の底部と側部とに跨がる位置に接続させたものである。このタイプの場合、貯水部の底部に接続した場合よりもサイフォン開始時間が２〜３秒ほど遅い。サイフォン開始時間が遅いことは問題ではあるが、一方で貯水部の背丈は高く取れることとなり、実験結果では３秒程度の遅れは実際の排水の現場では最大約５Ｌの排水量が貯水部内に溜ることではあるが、フロアを支える支持脚の間隔等を考慮すると５Ｌ分以上の容量は十分取り得ることが判明した。しかも、貯水部内での死水もなく、かつ、実際の施工現場での貯水部とスラブ間は１５ｍｍ程度の隙間があれば十分であり、このタイプの貯水部構造が最適であるところから、本発明ではこのタイプの貯水部を特に選択したものである。
【００２２】
更に、貯水部とサイフォン排水管との接続について言えば、サイフォン排水管を更に上方に５〜１０ｍｍ程度オフセットすることが最適である。即ち、サイフォン排水管用の継手は通常の位置よりも５〜１０ｍｍ上方にオフセットすることによりスラブとの間隔が確保でき、更には、サイフォン排水管が障害なく継手に接続できるからである。
【００２３】
サイフォン排水管を上方にオフセットした場合の排水騒音と排水性について述べれば、貯水部内の水位がサイフォン力調整管の先端より下がった際には、オフセットなしの場合では、一度サイフォンが切れるが、切れた後でも不定期（間欠）にサイフォンが発生し、合流部でのエアの巻き込み音が発生する。しかるに、オフセットした場合にはこの分だけ水位が高くなっており、貯水部内の水位がサイフォン力調整管の先端より下がると、サイフォンが切れ、サイフォン排水管内も満水ではなくなり、このため、その後の間欠サイフォンが発生することがなくなった。
【００２４】
このように、貯水部との接続後にサイフォン排水管（継手部分を含む）を多少オフセットすることにより排水騒音の発生を少なくする特徴をもあわせ持つものであり、更に先に説明したように継手がセットされる部分の納まりも良く、貯水部内に死水を発生さすることもなく、更には貯水部容量を死水を生ずることなく最大限に確保できたものとなる。
【００２５】
本発明において、貯水部へ接続される水廻り器具は複数であってもよく、又、サイフォン排水管も複数接続されてもよいことは言うまでもない。更に、このサイフォン排水管に夫々サイフォン力調整管を備えてもよく、場合によってはその内の一部に備えることも可能である。尚、説明の都合上サイフォン排水管にオフセットが施されるとして説明したが、サイフォン排水管継手及びこれに連なる短管にオフセットがなされている場合も含むことは言うまでもない。
【実施例】
【００２６】
以下、本発明の好適例を図面をもって更に詳細に説明する。図３は本発明の貯水部を備えたサイフォン排水システムの概念を示す側面図であり、図４はその主要部の概念図である。尚、符号１〜７ａ、Ｆ、Ｓについては既に説明した通りであり、ここでは説明は省略する。
【００２７】
さて、図３、図４にあって、サイフォン排水管継手４ａは貯水部１の底部１ａと貯水部の側面１ｂに跨がった位置に接続されており、底部１ａに接続されたもの（図１）とは底部１ａの下側のスぺ−スをそれほど必要としていないことが分かる。この例ではサイフォン継手４ａが上方にオフセットＯＦされたものであり、この例では継手４ａとサイフォン排水管４との接続はスラブＳと干渉することなく行うことができる。
【００２８】
このことは、スラブＳとフロアＦとの間で貯水部１の背丈を比較的高くすることができることを意味するものであり、しかも死水滞域もなく、有効容量が大きく取れる。
【００２９】
一方、サイフォン力調整管７の基端７ｂはサイフォン排水管４と合流部４ｂにて合流し、先端７ａは貯水部１内で下向きに配置されている。そして、この先端７ａと前記したオフセット部ＯＦはほぼその水平位置を同じくしたものである。
【００３０】
水廻り器具２からの排水は貯水部１内に流れ込むが、水位がサイフォン力調整管７の先端７ａの位置を越えた場合には、サイフォン排水管４はエアが入ることがないので、サイフォン力がフルに発揮できることになる。しかるに、水位がサイフォン力調整管７の先端７ａに下がってくると、エアが合流部４ｂに導かれ、これによってサイフォン力が弱まり、水位が下がるにつれて徐々に弱まる傾向となる。
【００３１】
しかも、サイフォン排水管４側にオフセットＯＦが施されている場合には、貯水部１内の水位がサイフォン力調整管７の先端より下がると、サイフォンが切れ、しかも少なくともＯＦ部位は満水ではない状態となる。このため、不定期な間欠的なサイフォン開始はなくなったものであり、合流部４ｂにおけるエアの巻き込みによる騒音が完全になくなったものである。
【産業上の利用可能性】
【００３２】
本発明は貯水部の有効容量をできるだけ大きく取り、しかもサイフォン力を制御可能とし、かつ、エア巻き込みによる排水騒音も低減したものであり、集合住宅の排水システムに最適であるばかりでなく、戸建て住宅の排水システムにも適用できることは言うまでもない。
【図面の簡単な説明】
【００３３】
【図１】図１はサイフォン排水システムの概要を示す図である。
【図２】図２は図１のサイフォン排水システムの改良を示す概要を示す図である。
【図３】図３は本発明のサイフォン排水システムの概念を示す図である。
【図４】図４は図３のサイフォン排水システムの主要部の概念図である。
【符号の説明】
【００３４】
１‥貯水部
１ａ‥貯水部の底部
１ｂ‥貯水部の側面
２‥水廻り器具
３‥連結管
４‥サイフォン排水管
４ａ‥継手
４ｂ‥合流部
５‥排水立て管
６‥合流継手
７‥サイフォン力調整管
７ａ‥サイフォン力調整管の先端
７ｂ‥サイフォン力調整管の基端
Ｆ‥フロア
Ｈｓ‥水頭
ＯＦ‥サイフォン排水管（継手）のオフセット部
Ｓ‥スラブ
【図１】
2007315037.tif 000003
【図２】
2007315037.tif 000004
【図３】
2007315037.tif 000005
【図４】
2007315037.tif 000006